(57)【要約】【課題】地震発生に際してより早く電気機器やガス機器の作動を停止させることができるようにする。【解決手段】地震発生時のＰ波報知電波信号を受信し、その受信時において作動指令信号を出力する受信手段６０と、受信手段６０からの作動指令信号に応笞して電源回路を遮断する電源遮断手段６１とを備えてなることを特徴とする電源遮断装置。【選択図】図２
2008172987.tif 000002
【特許請求の範囲】
【請求項１】
地震発生時のＰ波報知電波信号を受信し、その受信時において作動指令信号を出力する受信手段と、
前記受信手段からの前記作動指令信号に応答して電源回路を遮断する電源遮断手段と、
を備えてなることを特徴とする電源遮断装置。
【請求項２】
請求項１記載の電源遮断装置を備えるコンセント。
【発明の詳細な説明】
【技術分野】
【０００１】  この発明は、地震発生時に安全機能を発揮する電源遮断装置及びコンセントに関する。
【背景技術】
【０００２】  地震発生に際しては、火災の発生を防止すべく電気機器やガス機器の作動を停止させる必要があり、できれば地震発生に際してより早い段階でそれらの作動を停止させることが望ましい。
【発明の開示】
【発明が解決しようとする課題】
【０００３】  この発明は、地震発生に際してより早く電気機器やガス機器の作動を停止させることができるようにすることを目的とする。
【課題を解決するための手段】
【０００４】  この発明においては、地震発生時のＰ波報知電波信号を受信し、その受信時において作動指令信号を出力する受信手段と、前記受信手段からの前記作動指令信号に応答して電源回路を遮断する電源遮断手段とを備えてなることを特徴とする電源遮断装置を提供する。【０００５】  この発明の電源遮断装置によれば、受信手段が地震発生に際して送られてくるＰ波報知電波信号を受信すると作動指令信号を出力し、この作動指令信号により電源遮断手段が電源を遮断する。Ｐ波報知電波信号を利用して自動的に電源を遮断するので、迅速、かつ、人手を要することなく電源が遮断される。現状ではＰ波報知が各種広報媒体によりなされるが、一般家庭等においてはそれに基づいて人が電源遮断処置をとるのでその処置が地震発生までに間に合わないのが現状である。なお、この発明は、気象庁等においてＰ波報知電波信号を提供する地震速報配信システムが構築されることが必要とされる。【０００６】  この発明の電源遮断装置は、コンセントや電気機器等に一体に備えてもよく、また、単体として提供して機器に接続使用する形態としてもよい。
【発明の効果】
【０００７】  この発明によれば、地震発生に際しＰ波報知のなされるより早い段階に自動的に電源を停止して電気機器やガス機器の作動を停止でき、これにより、火災発生を防止できるようになる。
【発明を実施するための最良の形態】
【０００８】  図１はこの発明の第１の実施形態のコンセントの前面図、図２は同回路構成図である。コンセント１は壁面取り付け用で前面のカバー部２面下部に差し込み４が設けられ、その上方には青と赤のＬＥＤランプ７、８、テストボタン１０、復帰ボタン９ａ、９ｂのそれぞれが設けられている。差し込み部４の下部には一方のアース端子３ｂが設けられ、また、差し込み４の内部に出力端子部１３が設けられている。【０００９】  １５は電源の入力端子部であり、その一方の端子１５ｂが出力端子部１３の一方の端子１３ｂに直接に接続され、他方の端子１５ａは出力端子部１３の端子１３ａに切り替えスイッチ２１を介して接続されている。ＬＥＤランプ７、８はＬＥＤ表示部６に設けられ、切り替えスイッチ２１の切り替え作動に連動して入力端子部１５からＬＥＤランプ７、８に選択的に電源が与えられるようになっている。【００１０】  図３は上記切り替えスイッチ２１とそれを作動させる振動感知センサー３０部分の通常時における構成を示す。振動感知センサー３０において、２９は重り片で、下部に突出するロッド部３１を一体に備え、このロッド部３１の下端が固定ロッド部３２の上端に付き合わされる状態において、両ロッド部３１、３２に一体に装着されるコイルバネ３３により揺動可能に立設支持されている。３５は上下作動片、３６は水平作動片であり、通常時おいてはそれぞれの凸部３５ａ、３６ａが重なり状態となって連接している。上下作動片３５はバネ３７により下方へ、水平作動片３６はバネ３８により上下作動片３５側にそれぞれ付勢されている。上下作動片３５の下端尖部は上記重り片２９の上端尖部に接触配置される。【００１１】  水平作動片３６に一体の上部片４５の一方側には上記切り替えスイッチ２１の一方側の接点２１ａが一体に取り付けられ、この接点２１ａに相対するするように、かつ、通常時は互いに接触するように他方側の接点２１ｂが固定配置されている。また、上部片４５の逆側には一方のＬＥＤ接点４７ａが取り付けられ、このＬＥＤ接点４７ａに相対するように、かつ、通常時は互いに離間するように他方側のＬＥＤ接点４７ｂが固定配置されている。【００１２】  ４０、４１、４２、４３のそれぞれはリセットボタン９ａ、９ｂ、テストボタン１０、ソレノイド６１に連動する作動片であり、リセットボタン９ａ、９ｂ、テストボタン１０のそれぞれはバネ５５、５６、５７に抗して押し込み操作される。ソレノイド６１はコンセント１内に図１に示すように設けられ、その作動片４３の先端が重り片２９に相対するように位置する。【００１３】  ６０は受信部で、地震発生時のＰ波報知電波信号を受信する回路とその受信時において作動指令信号を出力するマイクロコンピュータとを備え、この発明の受信手段として機能する。ソレノイド６１が受信部６０からの作動指令信号より作動し、この発明の電源遮断手段として機能する。【００１４】  以下、上記コンセント１の使用に伴う動作を説明する。通常時においては、切り替えスイッチ２１は図３の状態であり、図２実線で示すように接点２１ａと２１ｂとは接続されている。したがって、端子１５ａ、１３ａ間の電源ラインＤが導通していることで出力端子部１３に入力端子部１５か���の電源が与えられている。また、この状態においては接点４７ａ、４７ｂが離間していることで一方のＬＥＤラインＬ１が導通し青色のＬＥＤランプ７が点灯する。この青色のＬＥＤランプ７の点灯を見ることでこのコンセント１に電源が与えられ差し込み４が使用可能状態であることが認識できる。【００１５】  これに対し、地震等があって振動感知センサー３０における重り片２９が揺動変位すると、上下作動片３５はバネ３７の付勢力により下方に押し込まれ図４に示す状態となる。その際その凸部３５ａが下降することで凸部３６ａとの重なり状態が外れ水平作動片３６はバネ３８の付勢力により上下作動片３５側に押し込まれる。これにより、切り替えスイッチ２１の接点２１ａ、２１ｂは離間し（図２点線図示）、端子１５ａ、１３ａ間の電源ラインＤが遮断されることで出力端子部１３に入力端子部１５からの電源が与えられなくなる。その結果、差し込み４に接続される電気ストーブ等の電気機器の動作が停止して安全性が確保される。また、この状態においては接点４７ａ、４７ｂが接触することで他方のＬＥＤラインＬ２が導通し赤色のＬＥＤランプ８が点灯する。この赤色のＬＥＤランプ８の点灯を見ることでこのコンセント１に電源が与えられていなくて差し込み４が使用不可状態であることが認識できる。【００１６】  また、地震発生時に受信回路６０が気象庁等の地震速報配信システムより発信されるＰ波報知電波信号を受信して作動指令信号を出力すると、ソレノイド６１が作動してその作動片４３が重り片２９を押して図４と同様の状態となり、上記と同様にして電源ラインＤが遮断されることで出力端子部１３に入力端子部１５からの電源が与えられなくなる。【００１７】  このコンセント１によれば、地震発生の初期には受信回路６０のＰ波報知電波信号の受信よるソレノイド６１の作動、実際の地震振動による振動感知センサー３０の作動の両動作により電源遮断が確実になされ、高い安全性が確保される。【００１８】  地震発生後等の差し込み４の使用可能状態への復帰は、図４の状態において、復帰ボタン９ａ、９ｂを押すことで行う。まず、復帰ボタン９ｂを押すことで作動片４１により上部片４５を押してバネ３８の付勢力に抗して水平作動片３６を押し込み、さらに復帰ボタン９ａを押すことで作動片４０を矢印方向に移動させて下部に差し込んで上下作動片３５をバネ３７の付勢力に抗して押し上げる。上下作動片３５の押圧力が解除されることで重り片２９はバネ３３のバネ力により図３の状態に復帰する。上記のように、復帰動作を２個の復帰ボタン９ａ、９ｂによる２操作により行えるようしたことで、復帰動作が不意に行われることが無いようにして安全性を確保している。【００１９】  テストボタン１０は地震等の発生時に電源遮断が確実になされるかどうかのテストを行なうためのもので、このテストボタン１０が押されることで、作動片４２が重り片２９を押して図４の状態となるようにしており、このテストを行ない赤色のＬＥＤランプ８の点灯を見ることで地震発生時等にコンセント１が正常に遮断機能を果たすことが確認できる。このテストボタン１０使用後の復帰も上記と同様に行なえる。【００２０】  図５はこの発明の第２の実施形態のコン���ントの回路構成図である。この実施形態においては、第１の実施形態のものにおける回路において、入力端子部の接点１５ａとアース端子３ｂとの間をＬＥＤ接点４７ａ、４７ｂを介して導通するブレーカー遮断ラインＢを設けている。このような構成により、ソレノイド６１、振動感知センサー３０の両動作によりＬＥＤ接点４７ａ、４７ｂが接続された場合にはブレーカー遮断ラインＢが導通するようにしている。ブレーカー遮断ラインＢが導通することでこのブレーカー遮断ラインＢに繋がるブレーカー内の一方の電源ラインに電流が流れ、これを検出することでブレーカーは遮断され、これにより、家屋内の電気機器全ての作動が停止されるようになっている。７０は電流制限抵抗である。その他の構成及び作用は第１の実施形態のものと同様であり、その説明は省略する。【００２１】  図６はこの発明の第３の実施形態の電源遮断ユニットの使用形態の回路構成を含む構成図である。１００は電源遮断ユニットで、ガスレンジ１０１に接続使用されている。電源遮断ユニット１００内における各要素において、上記第１と第２の実施形態のものと同じ図番を付しているものはそれらと同様の要素であり、同様の機能を果す。【００２２】  電源遮断ユニット１００からはガスレンジ１０１へ接続されるプラグ１０２が延出し、そのプラグ１０２の接続端子１０２ａ、１０２ｂは電源遮断ユニット１００の接点２１ａ、２１ｂと接続されている。【００２３】  ガスレンジ１０１にはプラグ１０２が接続されるコネクタ１０４が設けられ、コネクタ１０４における接続端子１０４ａ、１０４ｂは、プラグ１０２が接続されない場合には接続し（点線図示）、プラグ１０２が接続さた場合には離間されるように設けられ、プラグ１０２は図示しないがその対応構造を備えている。【００２４】  ガスレンジ１０１にはバーナー１０６に臨むように熱電対１０７が設けられ、この熱電対１０７からガス流路１０９を開閉する電磁弁１０８に接続端子１０４ａ、１０４ｂを介して作動電源が与えられ、バーナー１０６が着火しておらず熱電対１０７から電源が与えられない場合は電磁弁１０８は作動せず閉じられるようになっている。すなわち、バーナー１０６着火時に沸きこぼれ等の何らかの理由により火が消えた場合には、電磁弁１０８が閉じるようにしてバーナー１０６からのガス漏れを防止するようになっている。ガスレンジ１０１は電源遮断ユニット１００が連結されない状態においては接続端子１０４ａ、１０４ｂ接続されていることで上記の安全動作を行う。【００２５】  ガスレンジ１０１のコネクタ１０４に電源遮断ユニット１００のプラグ１０２が接続された場合には、接続端子１０４ａ、１０４ｂそれぞれに接続端子１０２ａ、１０２ｂそれぞれが接続されることで熱電対１０７は電磁弁１０８に切り替えスイッチ２１の接点２１ａ、２１ｂを介して接続される状態となる。これにより、地震時には受信回路６０のＰ波報知電波信号の受信よるソレノイド６１の作動、実際の地震振動による振動感知センサー３０の作動の両動作により電磁弁１０８の電源が遮断され、ガス漏れが回避されるようになっている。
【図面の簡単な説明】
【図１】  この発明の第１の実施形態のコンセントの外観正面図
【図２】  この発明の第１の実施形態のコンセントの回路構成図
【図３】  この発明の第１の実施形態のコンセントの要部構成略図
【図４】  この発明の第１の実施形態のコンセントの要部構成略図
【図５】  この発明の第２の実施形態のコンセントの回路構成図
【図６】  この発明の第３の実施形態の電源遮断ユニットの使用形態の回路構成を含む構成図
【符号の説明】
１    コンセント
６０  受信部（受信手段）
６１  ソレノイド（電源遮断手段）
Ｄ    電源ライン（電源回路）
【図１】
2008172987.tif 000003
【図２】
2008172987.tif 000004
【図３】
2008172987.tif 000005
【図４】
2008172987.tif 000006
【図５】
2008172987.tif 000007
【図６】
2008172987.tif 000008